(57)【特許請求の範囲】
【請求項１】
一つの光源と、前記光源から照射される光の光路上に設けられ、少なくとも一つの第一の開口と前記第１の開口間に形成される遮光領域とを備える第一の調光部材と、前記光源から照射される光の光路上に設けられ、第二の開口を備える第二の調光部材と、所定の周波数で振動する患部の前記周波数に同期して、前記第一の調光部材を駆動制御する制御手段と、前記第二の開口の開口幅を変更する開口幅変更手段と、を有し、前記第一の開口が前記第二の開口を通過することにより前記光源から照射される光が間欠的に発光されること、を特徴とする内視鏡用光源システム。
【請求項２】
請求項１に記載の内視鏡用光源システムは、前記周波数を検出する検出手段をさらに有すること、を特徴とする内視鏡用光源システム。
【請求項３】
請求項２に記載の内視鏡用光源システムにおいて、前記開口幅変更手段は、前記検出手段によって検出される前記患部の振動周波数が高くなれば前記開口幅を狭め、前記患部の振動周波数が低くなれば前記開口幅を広げることを特徴とする、内視鏡用光源システム。
【請求項４】
請求項２または請求項３に記載の内視鏡用光源システムにおいて、前記開口幅変更手段は、前記検出手段によって検出される前記患部の振動周波数の一波長内において、前記患部の形状変化の速度が速いときには、前記速度に応じて前記開口幅を狭め、前記患部の形状変化の速度が遅いときには、前記速度に応じて前記開口幅を広げることを特徴とする、内視鏡用光源システム。
【請求項５】
請求項１から請求項４のいずれかに記載の内視鏡用光源システムにおいて、前記制御手段は、前記患部の振動周波数と、前記第一の開口が前記第二の開口に対応する位置を通過する周期とが所定の関係になるように前記第１の調光部材の駆動速度を制御すること、を特徴とする内視鏡用光源システム。
【請求項６】
請求項１から請求項５のいずれかに記載の内視鏡用光源システムは、前記間欠的に発光される光の発光タイミングの位相を前記患部の振動の波形に対して変更する位相変更手段をさらに有することを特徴とする内視鏡用光源システム。
【請求項７】
請求項６に記載の内視鏡用光源システムにおいて、前記位相変更手段は、前記第二の開口が光束内を移動するように前記第二の調光手段を移動させることにより、前記位相を変更すること、を特徴とする内視鏡用光源システム。
【請求項８】
請求項１から請求項７のいずれかに記載の内視鏡用光源システムにおいて、前記患部は、声帯であることを特徴とする内視鏡用光源システム。
【請求項９】
周期性を持って振動する患部を通常観察し、ストロボ静止撮影し、あるいはストロボ動画撮影する内視鏡において、請求項１から請求項８のいずれかに記載の内視鏡用光源システムと、前記光源システムからの光を照射する先端部および照明される前記患部の光学像を撮像する撮像手段を備えるスコープ部と、を有することを特徴とする内視鏡。
【請求項１０】
請求項９に記載の内視鏡において、第二の調光部材は、ストロボ動画撮影時、第二の開口が光源から照射される光束内を移動するように所定のタイミングで移動されることを特徴とする内視鏡。
【発明の詳細な説明】
【０００１】
【発明の属する技術分野】
この発明は、内視鏡、特に声帯の観察に使用される内視鏡に搭載される光源システムに関する。
【０００２】
【従来の技術】
近年、様々な患部を撮影する内視鏡が実用化されている。その中の一つである声帯のように高速で連続振動する患部を撮影するための内視鏡は、少なくとも、患部の連続振動を撮影者の目視できる程度の適切な速度の動画として撮影する機能と、振動中の特定の部位や形状のみを静止画として撮影する機能とを備える必要があった。
【０００３】
そこで従来、常時発光する通常の光源のかわりに、間欠的に発光するストロボ光源を備えた内視鏡が用いられていた。このような内視鏡は、ストロボ光源の発光タイミングを声帯の振動の周波数に同期させる発光制御を行うことにより、上記の各種撮影を可能にしている。
【０００４】
しかし上記のストロボ光源は、高価なだけでなく、発光に伴い騒音や電磁波等が発生するといった弊害がある。使用中に発せられる騒音は、撮影者（例えば医師）および被撮影者（例えば患者）にとって非常に耳障りである。さらに電磁波が発生すると、他の医療機器が誤動作する現象が起こりかねない。つまり検査・処置室に配置される医療機器にはふさわしくない、早急に解決すべき問題を抱えている。
【０００５】
また、患部の状態は患者ごとに異なる。例えば、声帯が患部である場合、男性と女性とでは発声時の声帯の振動周波数の差が１００Ｈｚから３００Ｈｚ程度生じる。このような個人差を考慮した撮影が容易に行われる装置が望まれている。
【０００６】
【発明が解決しようとする課題】
そこで本発明は上記の事情に鑑み、操作に支障を生じる諸原因を抑え、かつ患者の個人差による撮影への影響を低減し、撮影者が必要とする映像の撮影を可能とする、内視鏡用光源システムおよび内視鏡を提供することを目的とする。
【０００７】
【課題を解決するための手段】
このため、請求項１に記載の内視鏡用光源システムは、一つの光源と、光源から照射される光の光路上に設けられ、少なくとも一つの第一の開口と第１の開口間に形成される遮光領域とを備える第一の調光部材と、光源から照射される光の光路上に設けられ、第二の開口を備える第二の調光部材と、所定の周波数で振動する患部の周波数に同期して、第一の調光部材を駆動制御する制御手段と、第二の開口の開口幅を変更する開口幅変更手段と、を有し、第一の開口が第二の開口を通過することにより光源から照射される光が間欠的に発光されることを特徴とする。
【０００８】
上記の構成によれば、ストロボ光源は使用しないため、ストロボ発光に伴う騒音や電磁波等の発生のおそれもなくなり、撮影者の不快感を無くし、他の医療機器への影響も抑えることができる。
【０００９】
また、第二の開口の開口幅を可変にすることにより、ストロボ発光時間を任意に変更することができる。従って、患部の個人差に対応して、ストロボ発光時間を変化させることによっていつでも所望の撮影結果を得ることができる。
【００１０】
請求項２に記載の内視鏡用光源システムによれば、周波数を検出する検出手段をさらに有するのが好ましい。この場合、制御手段は、検出手段によって検出される周波数に同期して第一の調光手段を駆動制御することができる。
【００１１】
請求項３に記載の発明によれば、開口幅変更手段は、検出手段によって検出される患部の振動周波数が高いときは開口幅を狭め、患部の振動周波数が低いときは、開口幅を広げることができる。
【００１２】
これにより、性別や年齢によって異なる患部の振動周波数に対応した撮影を行うことができる。
【００１３】
請求項４に記載の発明によれば、開口幅変更手段は、検出手段によって検出される患部の振動周波数の一波長内において、患部の形状変化の速度が速い場合には、速度に応じて前記開口幅を狭め、患部の形状変化の速度が遅い場合には、速度に応じて開口幅を広げることができる。
【００１４】
これにより、特定の患部を撮影中でも、その患部の振動の状態に応じて、ぶれを抑えたり、明るくしたりするといった、きめ細かな撮影を行うことができる。
【００１５】
請求項６に記載の内視鏡用光源システムは、間欠的に発光される光の発光タイミングの位相を患部の振動の波形に対して変更する位相変更手段をさらに有することを特徴とする。該位相変更手段は、第二の開口が光束内を移動するように前記第二の調光手段を移動させることにより、前記位相を変更することができる（請求項７）。
【００１６】
この発明によれば、発光タイミングの位相を患部の振動の波形に対してずらすことができるため、振動中の患部の異なる形状を照明することが可能になる。
【００１７】
請求項８に記載の内視鏡用光源システムによれば、声帯が患部である場合に使用することができる。
【００１８】
請求項９に記載の発明は、周期性を持って振動する患部を通常観察し、ストロボ静止撮影し、あるいはストロボ動画撮影する内視鏡に関する。該内視鏡は、請求項１から請求項７のいずれかに記載の内視鏡用光源システムと、これらの光源システムからの光を照射する先端部および照明される患部の光学像を撮像する撮像手段を備えるスコープ部とを有することを特徴とする。
【００１９】
【発明の実施の形態】
図１は本発明の実施形態の光源システム１０を搭載する内視鏡の概略構成図である。内視鏡１００は、本体部１００ａ、スコープ部１００ｂとから構成される。本体部１００ａは、光源システム１０、メイン制御部２０、映像処理回路３０、骨伝導型マイク４０、パネルスイッチ５０、モニタ６０とを有する。スコープ部１００ｂは、ＣＣＤ７０、ライトガイド８０とを有する。
【００２０】
内視鏡１００を使用すると患部である声帯は次のようにして撮影される。まず、予め患者の喉付近に固定されたマイク４０が声帯の動きを検出し、検出信号としてメイン制御部２０に送信する。メイン制御部２０は、波形を整形した検出信号に同期させて、以下に詳述する光源システム１０の発光制御をする。
【００２１】
メイン制御部２０の制御に基づいて、光源システム１０から照射される光は、ライトガイド８０内を導かれ、スコープ部１００ｂの先端から発光する。発光状態にあるとき、該先端に備えられているＣＣＤ７０は、入射する光により受光面に形成された光学像に対応する電荷を蓄積し、映像信号処理回路３０に出力する。映像信号処理回路３０は、入力される電荷に基づいて所定の処理を行った後、映像信号をモニタ６０に出力する。モニタ６０は、映像信号に対応する画像を表示する。
【００２２】
なお撮影者は、パネルスイッチ５０や図示しないパーソナルコンピュータ等を操作して、メイン制御部２０に撮影に関する指示をすることが可能である。例えば、通常撮影やストロボ静止撮影、ストロボ動画撮影といった各種モードの切り替えをはじめ様々な設定を行うことができる。
【００２３】
本明細書では、患部周辺の状況を撮影し、内視鏡のスコープ部１００ｂを安全確実に患部位置に導入、または導出する際等に使用される撮影モードを通常撮影という。連続振動中にある患部（本実施形態では発声中の声帯）の一形状だけを抽出して撮影し静止画として撮影するモードをストロボ静止撮影という。また、高速で振動する患部を撮影者の見やすい適当な速度の動画として撮影するモードをストロボ動画撮影という。
【００２４】
図２は、本発明の実施形態の光源システム１０の構成を示す概略図である。光源システム１０は、回転円板１、可動スリット２、白色光源３、絞り４、集光レンズ５、ライトガイド口金６、回転円板１用駆動部７、可動スリット２用駆動部８を有する。
【００２５】
回転円板１は駆動部７を介して、可動スリット２は駆動部８を介してそれぞれメイン制御部２０に接続されている。白色光源３は、本実施形態ではキセノンランプを使用しており、電源がオンされているときは常時発光している。絞り４は、白色光源３から照射される光束を所定の幅に絞る。
【００２６】
図３は、回転円板１および可動スリット２を白色光源３側から見た図である。図３Ａは、回転円板１および可動スリット２の全体図、図３Ｂは、回転円板１および可動スリット２の光入射位置近傍の拡大図である。図３Ａに示すように回転円板１は、複数の長方形状のギャップ１ａと二つのギャップ１ａ間にある遮光領域１ｂとを有する。回転円板１は、駆動部７によって白色光源３からの光の直進方向と平行な軸を中心として回転自在な状態にある。ギャップ１ａは、スリット２ａを透過した光が２以上のギャップ１ａに入射することがないような所定の間隔をおいて回転円板１上に配設されている。また、ギャップ１ａは、隣り合う二つのギャップ１ａのなす角度が均等になる（各遮光領域１ｂの面積が等しくなる）ように等間隔に配設される。
【００２７】
図４は、可動スリット２の拡大図である。可動スリット２は、一対の支持レール２ｃ間に配設された二枚の遮光板２ｂを有し、二枚の遮光板２ｂおよび一対の支持レール２ｃとによって、長方形状のスリット２ａが形成されている。本実施形態の光源システム１０は、ギャップ１ａと遮光領域１ｂとスリット２ａとを用いて白色光源３からの光を透過し、あるいは遮光するシャッタ構造を作り出すことにより、擬似的にストロボ発光を形成する。
【００２８】
各遮光板２ｂは、それぞれ第一カム８ｂを介して第一モータ８ａに接続されている。第一モータ８ａを駆動させ、各遮光板２ｂを支持レール２ｃに沿って互いに遠ざける方向（図４中、矢印Ｄｗ）に移動させることによりスリット２ａの幅を広げることができる。同様に第一モータ８ａを駆動させ、各遮光板２ｂを支持レール２ｃに沿って互いに近づける方向（図４中、矢印Ｄｎ）に移動させることによりスリット２ａの幅を狭めることができる。
【００２９】
各第一モータ８ａは、モータ台８ｃ上に固定されている。モータ台８ｃは、第二カム８ｅを介して、基台上にある第二モータ８ｄに接続されている。第二モータ８ｄを駆動させることで可動スリット２全体を所定の方向に移動させることができる。所定の方向とは、図３Ｂの破線矢印Ｄｇに示すギャップ１ａが光束を横切る方向およびその逆方向と同一、つまり、矢印Ｄｓに示す方向（図３Ｂ、図４）およびその逆方向である。なお、各モータ８ａ、８ｄ、各カム８ｂ、８ｅ、モータ台８ｃは駆動部８の一部を構成する。各モータ８ａ、８ｄは、メイン制御部２０からの駆動信号によって駆動制御される（図２参照）。
【００３０】
高速で連続振動する声帯を確実にストロボ静止撮影およびストロボ動画撮影するためには、声帯の周波数をｆ０とすると、ギャップ１ａと遮光領域１ｂとスリット２ａとによって形成されるシャッタ構造の開閉の周波数ｆ２が、次の条件（１）を満たせばよい。
ｆ２＝ｆ０／ｋ・・・（１）
但し、ｋは正の整数である。
【００３１】
ここでギャップ１ａをｎ個備える回転円板１の一秒あたりの回転数をｆ１とすると、シャッタ構造の開閉の周波数ｆ２は、ｆ１にｎを乗じた値に等しい。従って、条件（１）は、次の条件（２）のように表すことができる。
ｆ１＝ｆ０／ｎｋ・・・（２）
但し、ｎは正の整数である。
回転円板１は、一秒あたりの回転数ｆ１が条件（２）を満たすような所定の速度で、メイン制御部２０によって、回転制御される。すなわち回転円板１は、マイク４０で検出された声帯の動きに同期した速度で回転制御されている。
【００３２】
スリット２ａは、可動スリット２に入射する光束の一部を透過する（図３Ｂ参照）。そして回転円板１が回転することでギャップ１ａがスリット２ａを通過する時間だけ、白色光源３からの光は、可動スリット２、回転円板１を順に透過し集光レンズ５に入射する。
【００３３】
集光レンズ５は、入射光束を、ライトガイド口金６（およびライトガイド８０）内に入射するように光束を収束する。また、ライトガイド口金６は、ライトガイド８０の一端と接続されており、入射する光束をライトガイド８０の他端（すなわち、スコープ部１００ｂの先端）に導く（図２参照）。
【００３４】
以下、光源システム１０の発光制御を詳説する。複数のギャップ１ａを備え、条件（２）を満たす速度で回転する回転円板１とスリット幅を変更できかつ可動状態にある可動スリット２を用いてシャッタ構造を形成することにより、以下の発光制御が可能になる。
【００３５】
まず、第一の実施例として声帯の振動周波数の高低に対応した発光制御が可能になる。図５は、声帯の振動周波数が高い場合の発光制御を示し、図６は、声帯の振動周波数が低い場合の発光制御を示す。図５、図６とも、（Ａ）はギャップ１ａがスリット２ａを横切る様子を表し、（Ｂ）はマイク４０からの出力波形およびストロボ発光時間を示す。
【００３６】
なお、図５、図６中（Ａ）は、スリット２ａの中心とスリット２ａを通過するギャップ１ａの中心とが略一致した瞬間を図示している。声は、声帯の振動によって発生するため、同図中（Ｂ）におけるマイク出力波形は、声帯の形状の変化に対応する。つまり、マイク４０によって検出された波形が山であるとき、モニタ６０に表示された声帯は略開放状態である。ストロボ発光時間とは、ギャップ１ａがスリット２ａを完全に通過するまでの時間と一致する。後述する図７におけるマイクの出力波形やストロボ発光時間も同様である。
【００３７】
メイン制御部２０には、予め基準となる周波数の値および基準値のときに設定される基準スリット幅が入力されている。そして、メイン制御部２０は、マイク４０から検出される声帯の振動周波数と上記基準値とを比較し、比較結果に基づいて、次の制御を行う。
【００３８】
図５（Ｂ）に示すようにマイク４０から検出される声帯の振動周波数が高い場合、メイン制御部２０は駆動部８の第１モータ８ａを駆動し、基準スリット幅よりもスリット幅を狭く設定する（図５（Ａ））。スリット幅が狭いため、ギャップ１ａのスリット２ａ通過時間、つまりストロボ発光時間（図５（Ｂ））も短い。つまり、患部を照射する時間（いわゆる露光時間）が短くなり、高い周波数で振動する声帯の一形状をぶれのない状態でストロボ静止撮影することができる。
【００３９】
一方、図６（Ｂ）に示すようにマイク４０から検出される声帯の振動周波数が低い場合、メイン制御部２０は駆動部８の第一モータ８ａを駆動し、基準スリット幅よりもスリット幅を広く設定する（図６（Ａ））。スリット幅を広げると、ストロボ発光時間（図６（Ｂ））が長くなる。つまり、露光時間が長くなり、低い周波数で振動する声帯の一形状をより明るくストロボ静止撮影することができる。
【００４０】
声帯の振動周波数と基準値との差が大きければ大きいほど、スリット幅も基準スリット幅よりもより広く、またはより狭く設定される。
【００４１】
なお現在、モニタ６０に表示される形状とは異なる形状の声帯を静止撮影したい場合には、発光タイミングの位相を声帯の振動の波形に対してずらせばよい。具体的には、パネルスイッチ５０を操作して、可動スリット２を移動させて任意の位置で固定させる。これにより異なる形状の声帯を静止撮影できる。さらにストロボ動画撮影を行いたい場合には、可動スリット２の移動を所定のタイミング、例えばメイン制御部２０からの垂直同期信号の立ち上がりに対応させて自動的に行う。これにより、発光タイミングの位相が声帯の振動の波形に対して定期的にずれることになるため、声帯の振動周波数に対応した状態にあり、かつ観察に適した速度の動画をモニタ６０上で得ることができる。
【００４２】
また、上記では、声帯の振動周波数と基準値との差に対応してスリット幅も随時変化する構成を説明したが、所定の値ずつ区切られた複数の周波数のブロックを設定しておき、振動周波数が該当するブロックに対応するスリット幅を設定する構成でも良い。
【００４３】
以上が第一実施例である。第一実施例の発光制御を行い、発光時間を調整することにより、撮影者は各患者の声帯の振動周波数に対応した最適な状態にある撮影内容を得ることができる。つまり、光源システム１０を備えた内視鏡１００を用いれば、患者の性別の違いや年齢の違い等が原因で生じる声帯の振動周波数の高低差による影響をなくして撮影することができる。
【００４４】
光源システム１０の第２の実施例として、振動する声帯の形状に対応した発光制御が可能になる。図７は、マイク４０からの出力波形およびストロボ発光時間そして発光時の可動スリット２の状態を図示したものである。また、図７中（Ａ）、（Ｂ）は、それぞれ可動スリット２の状態を示す。
【００４５】
図７に示すように、マイク出力波形が山や谷近傍のとき（つまり声帯が開放または閉塞しているとき）と、山から谷または谷から山へ推移するとき（つまり声帯が開放と閉塞の中間形状にあるとき）とでは、声帯の形状変化の度合いに差がある。つまり、山や谷のときよりも山から谷または谷から山へ推移するときの方が、単位時間あたりの声帯の形状変化が速い。そこで、第二の実施例では、マイク４０から出力される波形に基づき、メイン制御部２０が、声帯の形状に適した露光が行われるように、スリット２ａのスリット幅を変化させる。なお第一実施例同様、メイン制御部２０には、予め基準となるスリット幅が入力されている。
【００４６】
メイン制御部２０は、マイク出力波形が山（谷）近傍の時には、図７（Ａ）に示すように、遮光板２ｂを矢印Ｄｗ方向に移動させ、基準スリット幅よりもスリット２ａの幅を広げる。スリット２ａの幅を広げることにより、患部の露光時間が長くなり、形状変化の比較的ゆっくりな時期にある声帯の一形状をより明るくストロボ静止撮影することができる。
【００４７】
一方、メイン制御部２０は、マイク出力波形が山から谷または谷から山へ推移する時には、図７（Ｂ）に示すように遮光板２ｂを矢印Ｄｎ方向に移動させ、基準スリット幅よりもスリット２ａの幅を狭める。スリット２ａの幅を狭めることにより、患部の露光時間が短くなり、形状変化の速い時期にある声帯の一形状をぶれることなくストロボ静止撮影することができる。
【００４８】
第二の実施例の発光制御を行いつつ、ストロボ動画撮影を行うことも可能である。ストロボ動画撮影時には、メイン制御部２０がさらに所定のタイミング、例えばメイン制御部２０からの垂直同期信号の立ち上がりに対応させて可動スリット２の移動を制御し、発光タイミングの位相を声帯の振動の波形に対して徐々にずらせばよい。これにより、声帯の形状変化の速度に即した発光制御のもと、観察に適した速度で動く動画を得ることができる。以上が第二実施例である。なお、第一実施例と第二実施例とに記す発光制御は、それぞれ単独で行ってもよいが、両者を併せた状態で発光制御することも可能であり、そのほうがより好ましい実施例といえる。
【００４９】
なお、光源システム１０を搭載する内視鏡１００の場合、通常撮影は以下のようにして行われる。通常撮影モードが設定されると、回転円板１は、図示しない駆動手段によって光路上から退避する方向（図３Ａ中、左右方向）へ移動されている。そして白色光源３からの光がスリット２を介して、直接集光レンズ５に入射する構成にする。これにより、白色光源３からの光によって、体内は常時照明され、通常撮影を行うことができる。
【００５０】
以上が本発明の実施形態である。本発明はこれらの実施形態に限定されるものではなく趣旨を逸脱しない範囲で様々な変形が可能である。
【００５１】
上述した実施形態では、患部を声帯と仮定して説明したが、内視鏡１００は、声帯を撮影するときのみ使用されるものではない。例えば、鼓動を続ける心臓等、他の振動する患部を撮影するときにも使用できるほか、常に静止状態にある患部も当然撮影可能である。声帯以外の振動する患部を撮影するとき、場合によっては、マイク４０以外の他の振動検出手段を用いることができる。
【００５２】
また、上記実施形態における可動スリット２は、２枚の遮光板２ｂとその間に形成されるスリット２ａとから形成されているが、この形状に限るものではない。例えば、開口を有する円板を二枚使用して、該開口の重ね具合により、スリット幅を可変にすることも可能である。また、可動スリット２と同一構造であっても、一方の遮光板２ｂのみにカムおよびモータを設けて可動状態にし、もう一方は、指示レール２ｃに固定してしまうことも可能である。
【００５３】
また、上記実施形態では、スリット２ａのスリット幅の変更は、マイクからの出力波形に基づいてメイン制御部２０が自動的に制御しているが、これに限定されるものではない。例えば、撮影者自らパネルスイッチ５０等を用いてスリット幅を変更することも可能である。
【００５４】
さらに本実施形態ではギャップ１ａを複数備えた回転円板１を回転させているが、可動スリット２と組み合わせることによりシャッタとしての効果を奏することができる部材であれば、上記形状に限定されるものではない。例えば、回転円板１に設けるギャップ１ａは、長方形状であると説明したが、上記条件（２）を満たしていれば、円形状等他の形状であってもよい。
【００５５】
さらに、スコープ部１００ｂは、電子スコープ、ファイバスコープいずれのタイプでも使用することができる。スコープ部１００ｂに備えられるＣＣＤ７０は、モノクロ、カラーいずれのタイプでも良い。
【００５６】
【発明の効果】
このように本発明は、単一の通常光源を通常撮影のみならずストロボ撮影にも兼用することにより、電磁波等の操作に支障をもたらす諸原因を抑えた安価でかつ簡素な光源システムを提供することができる。さらにストロボ発光する時間を任意に変えることにより、患者ごとに異なる患部の振動周波数による影響を低減し、撮影者が必要とする映像の撮影をすることができる。例えば、声帯の振動周波数が高いとき等には、ぶれのない声帯の形状を撮影することができ、声帯の振動周波数が低いとき等には、より明るい画像を撮影することができる。
【図面の簡単な説明】
【図１】本発明の実施形態の光源システムを搭載する内視鏡の概略構成図である。
【図２】本発明の実施形態の光源システムの構成を示す概略図である。
【図３】光源システムの回転円板および可動スリットを白色光源側から見た図である。
【図４】本実施形態の光源システムの可動スリットの拡大図である。
【図５】本実施形態の光源システムの第一実施例を示す。
【図６】本実施形態の光源システムの第一実施例を示す。
【図７】本実施形態の光源システムの第二実施例を示す。
【符号の説明】
１    回転円板
１ａ  ギャップ
２    可動スリット
２ａ  スリット
３    白色光源
８    駆動部
１０    光源システム
２０    メイン制御部
４０    骨伝導型マイク
７０    ＣＣＤ
１００    内視鏡
【図１】
0004027603.tif 000002
【図２】
0004027603.tif 000003
【図３】
0004027603.tif 000004
【図４】
0004027603.tif 000005
【図５】
0004027603.tif 000006
【図６】
0004027603.tif 000007
【図７】
0004027603.tif 000008